(57)【要約】携帯型音声再生装置はイヤフォンを用いて音声信号を再生する装置であり、装置本体と、一般者用イヤフォンと、難聴者用イヤフォンとを備えている。装置本体のジャック（９０）は、一般者用イヤフォンと難聴者用イヤフォンのいずれにも接続する。難聴者用イヤフォン（２０）の接続プラグ（２３）には、他の端子から実質的に絶縁されたダミー端子（２３Ｃ）が設けられている。装置本体の音声再生回路は、一般者用イヤフォンの接続プラグまたは難聴者用イヤフォンの接続プラグがジャック（９０）に差し込まれているとき、ダミー端子（２３Ｃ）の有無の検出に基づいて音声信号の音声増幅態様を切り換える。
2013098974.tif 000002
【特許請求の範囲】
【請求項１】
イヤフォンで音声信号を再生する携帯型音声再生装置において、
装置本体と、第１イヤフォンと、第２イヤフォンとを備え、
前記装置本体は、前記音声信号を再生する音声再生回路と、前記第１イヤフォンの第１接続プラグと前記第２イヤフォンの第２接続プラグとの両プラグに接続可能なジャックとを有し、
前記第１イヤフォンの前記第１接続プラグは、第１共通端子と第１入力端子とを備え、
前記第２イヤフォンの前記第２接続プラグは、第２共通端子と、第２入力端子と、前記第２共通端子および前記第２入力端子から絶縁されたダミー端子とを備え、
前記音声再生回路は、前記第１接続プラグまたは前記第２接続プラグが前記ジャックに差し込まれているとき、前記ダミー端子の有無の検出に基づいて前記音声信号の音声増幅態様を切り換える
ことを特徴とする携帯型音声再生装置。
【請求項２】
請求項１に記載の携帯型音声再生装置において、
前記音声再生回路は、前記ダミー端子が検出されているときは、前記ダミー端子が検出されていないときよりも、高周波数域の前記音声信号の増幅率を大きくする
ことを特徴とする携帯型音声再生装置。
【請求項３】
請求項１に記載の携帯型音声再生装置において、
前記音声再生回路は、前記ダミー端子が検出されていないときは、前記ダミー端子が検出されているときよりも、高周波数域の前記音声信号の増幅率を大きくする
ことを特徴とする携帯型音声再生装置。
【請求項４】
請求項１に記載の携帯型音声再生装置において、
前記音声再生回路は、前記ダミー端子が検出されているときは、前記ダミー端子が検出されていないときよりも、前記音声信号のダイナミックレンジを圧縮する
ことを特徴とする携帯型音声再生装置。
【請求項５】
請求項１に記載の携帯型音声再生装置において、
前記音声再生回路は、前記ダミー端子が検出されていないときは、前記ダミー端子が検出されているときよりも、前記音声信号のダイナミックレンジを圧縮する
ことを特徴とする携帯型音声再生装置。
【請求項６】
請求項１〜５のいずれか一項に記載の携帯型音声再生装置において、
前記第１イヤフォンおよび前記第２イヤフォンは外観で互いに異なる形態を有する
ことを特徴とする携帯型音声再生装置。
【請求項７】
請求項１〜５のいずれか一項に記載の携帯型音声再生装置において、
前記第２接続プラグに接続可能であり、かつ前記第１接続プラグと同じ端子構造を有するアダプタを更に備え、前記アダプタが前記第２接続プラグに接続されることにより、前記第２イヤフォンが前記第１イヤフォンとして機能する
ことを特徴とする携帯型音声再生装置。
【発明の詳細な説明】
【技術分野】
【０００１】
本発明は、イヤフォンにより音声信号を再生する携帯型音声再生装置に関する。
【背景技術】
【０００２】
例えば団体旅行で貸与される携帯型音声再生装置には、難聴者と一般人とに対応して音声増幅態様を切り換えることが要求されている。すなわち、携帯型音声再生装置は貸与するとき、難聴者か一般人かに対応して、音量を設定することが求められている。例えば、高齢者は高音域の音が聞き取りにくいため、高音域の音量を大きくすることが好ましい。【０００３】
この要求の解決手段としては、携帯型音声再生装置の本体に高音調整スイッチ等のスイッチを設けることが考えられる。例えば、補聴器の技術ではあるが、特許文献１には、高齢者でも容易に音量を調整することができる技術が開示されている。
【先行技術文献】
【特許文献】
【０００４】
【特許文献１】特開平０５−１３０６９８号公報
【発明の概要】
【発明が解決しようとする課題】
【０００５】
しかし、貸し出し用の携帯型音声再生装置の場合、音声再生装置の使用者に高音調整スイッチの使用方法を説明することは、時間を要し、場合によっては各人に説明を要する場合もあるため、好ましい手段とはいえない。【０００６】
なお、貸し出し用の携帯型音声再生装置以外の装置、例えば個人用の携帯型音声再生装置であっても、家族内で貸すことがあるため、難聴者と一般人とに対応して音声増幅態様を切り換える機能があることが好ましい。【０００７】
本発明の目的は、難聴者用と一般者用に対応して容易に音声増幅態様を切り換えることができる携帯型音声再生装置を提供することにある。
【課題を解決するための手段】
【０００８】
（１）本発明の一態様は、イヤフォンで音声信号を再生する携帯型音声再生装置において、装置本体と、第１イヤフォンと、第２イヤフォンとを備え、前記装置本体は、前記音声信号を再生する音声再生回路と、前記第１イヤフォンの第１接続プラグと前記第２イヤフォンの第２接続プラグとの両プラグに接続可能なジャックとを有し、前記第１イヤフォンの前記第１接続プラグは、第１共通端子と第１入力端子とを備え、前記第２イヤフォンの前記第２接続プラグは、第２共通端子と、第２入力端子と、前記第２共通端子および前記第２入力端子から絶縁されたダミー端子とを備え、前記音声再生回路は、前記第１接続プラグまたは前記第２接続プラグが前記ジャックに差し込まれているとき、前記ダミー端子の有無の検出に基づいて音声信号の音声増幅態様を切り換える携帯型音声再生装置を提供する。【０００９】
この態様では、第１イヤフォンと第２イヤフォンのうち第２イヤフォンにのみダミー端子が設けられている。そして、ダミー端子の有無の検出に基づいて、音声信号の音声増幅態様が切り換えられる。このため、一般者および難聴者が第１イヤフォンと第２イヤフォンとを選択することにより、音声増幅態様を切り換えることができる。すなわち、装置本体において設定変更等の操作を行うことなく、選択したイヤフォンに対応した音声増幅態様で音声信号を再生するができる。【００１０】
（２）前記音声再生回路は、前記ダミー端子が検出されているときは、前記ダミー端子が検出されていないときよりも、高周波数域の前記音声信号の増幅率を大きくすることが好ましい。【００１１】
（３）前記音声再生回路は、前記ダミー端子が検出されていないときは、前記ダミー端子が検出されているときよりも、高周波数域の前記音声信号の増幅率を大きくすることが好ましい。【００１２】
（４）前記音声再生回路は、前記ダミー端子が検出されているときは、前記ダミー端子が検出されていないときよりも、前記音声信号のダイナミックレンジを圧縮することが好ましい。【００１３】
（５）前記音声再生回路は、前記ダミー端子が検出されていないときは、前記ダミー端子が検出されているときよりも、前記音声信号のダイナミックレンジを圧縮することが好ましい。【００１４】
（６）前記第１イヤフォンおよび前記第２イヤフォンは外観で互いに異なる形態を有することが好ましい。【００１５】
（７）前記第２接続プラグに接続可能であり、かつ前記第１接続プラグと同じ端子構造を有するアダプタを更に備え、前記アダプタが前記第２接続プラグに接続されることにより、前記第２イヤフォンが前記第１イヤフォンとして機能することが好ましい。
【発明の効果】
【００１６】
本発明によれば、難聴者用と一般者用に対応して容易に音声増幅態様を切り換えることができる携帯型音声再生装置を提供することができる。
【図面の簡単な説明】
【００１７】
【図１】第１実施形態に係る携帯型音声再生装置の模式図。
【図２】第２実施形態の装置本体の構成図。
【図３】第１実施形態において、一般者用イヤフォンが装置本体に接続されたときの回路図。
【図４】第１実施形態において、難聴者用イヤフォンが装置本体に接続されたときの回路図。
【図５】第２実施形態において、一般者用イヤフォンが装置本体に接続されたときの回路図。
【図６】第２実施形態において、難聴者用イヤフォンが装置本体に接続されたときの回路図。
【図７】第３実施形態において、アダプタを示す断面図。
【図８】第３実施形態において、アダプタが難聴者用イヤフォンの接続プラグに装着された状態を示す断面図。
【発明を実施するための形態】
【００１８】
（第１実施形態）
携帯型音声再生装置の一例を説明する。
【００１９】
本実施形態に示す携帯型音声再生装置１は、送信機から送信された信号を受信する受信機であって、受信した信号を音声信号として再生し、そして音声信号をイヤフォンで再生する。携帯型音声再生装置１は、例えば、観光地、美術館等の案内において、案内人の音声を送信機で送信する場合に被案内人が使用する受信機として用いられる。被案内人は、受信機で再生された音をイヤフォンで聴く。なお、以下の説明では、モノラル信号を再生する携帯型音声再生装置１について説明する。
【００２０】
図１に示すように、携帯型音声再生装置１は、装置本体２と、一般者用イヤフォン１０（第１イヤフォン）と、難聴者用イヤフォン２０（第２イヤフォン）とを備えている。装置本体２の側面には、電源スイッチを兼ねる音量スイッチ３が取り付けられている。
【００２１】
一般者用イヤフォン１０とは、聴力が基準範囲内の一般者が使用するイヤフォンである。一般者用イヤフォン１０は、スピーカ１２と、音声信号を伝送する導線１１と、導線１１が接続された接続プラグ１３（第１接続プラグ）とを備えている。
【００２２】
一般者用イヤフォン１０の導線１１には、一般者用イヤフォン１０と難聴者用イヤフォン２０とを容易に判別することが可能なように、一般者用イヤフォン１０を示す視認タグ１４が付けられている。
【００２３】
難聴者用イヤフォン２０とは、聴力が一般人よりも低い難聴者が使用するイヤフォンである。例えば、高齢者、病気等により聴力が低下した難聴者の使用が想定されている。難聴者用イヤフォン２０は、スピーカ２２と、音声信号を伝送する導線２１と、導線２１が接続された接続プラグ２３（第２接続プラグ）とを備えている。
【００２４】
難聴者用イヤフォン２０の導線２１には、難聴者用イヤフォン２０と一般者用イヤフォン１０とを容易に判別することが可能なように、難聴者用イヤフォン２０を示す視認タグ２４が付けられている。
【００２５】
図２を参照して、携帯型音声再生装置１の装置本体２について説明する。
【００２６】
装置本体２は、送信機から送信される信号を受信する受信機能と、受信した信号（以下、受信信号）を再生する再生機能と、ジャック９０に差し込まれているイヤフォンの種別に基づいて音声増幅態様を切り換えて音声信号を再生する再生機能とを備えている。
【００２７】
装置本体２は、送信信号を受信するアンテナ４と、受信信号を検出および復調する音声再生回路５と、音声信号を出力するジャック９０とを備えている。
【００２８】
音声再生回路５は、所定周波数信号を検出する検波回路３０と、音声信号の出力を遮断するスケルチ回路４０と、音声信号を所定態様で増幅する音声処理回路５０と、音声信号を増幅する増幅器６０と、プラグの種別を判定するプラグ判定回路７０と、音声処理回路５０の機能切換指示をする制御装置８０とを含む。
【００２９】
検波回路３０は、受信信号から所定周波数信号を検波し、検波信号を復調することにより音声信号を得る。例えば、受信信号と所定発振信号とを混合して中間信号を形成し、この中間信号を増幅する。次に、中間信号からＦＭ信号を検出して、ＦＭ信号を復調する。さらに、復調したＦＭ信号を増幅して音声信号を形成する。
【００３０】
スケルチ回路４０は、トーン検出部４１と、ノイズ検出部４２と、キャリア検出部４３と、アンド回路４４と、スケルチスイッチ４５とを備えている。
【００３１】
トーン検出部４１は、音声信号からトーン信号を検出する。トーン信号が検出されるとき、出力ポートの出力電圧をハイレベルに設定する。
【００３２】
ノイズ検出部４２は、音声信号からノイズレベルを検出する。ノイズレベルが設定値よりも小さいとき出力ポートの出力電圧をハイレベルに設定する。
【００３３】
キャリア検出部４３は、受信信号のキャリア信号のレベルを検出する。キャリア信号のレベルが設定値よりも大きいとき出力ポートの出力電圧をハイレベルに設定する。
【００３４】
アンド回路４４は、トーン検出部４１の出力ポート、ノイズ検出部４２の出力ポート、およびキャリア検出部４３の出力ポートの全ての出力電圧がハイレベルのとき、スケルチスイッチ４５をオン状態とするオン信号を出力する。また、アンド回路４４は、この条件以外のときは、スケルチスイッチ４５をオフ状態とするオフ信号を出力する。
【００３５】
スケルチスイッチ４５は、オン状態とオフ状態とを有する。オン状態では、音声信号を通過させる。オフ状態では音声信号を通過させない。例えば、トーン信号が検出されること、ノイズレベルが設定値よりも小さいこと、およびキャリア信号のレベルが設定値よりも大きいこと、これら全ての条件が成立するとき、スケルチスイッチ４５はオン状態となって、音声信号が出力される。一方、これら条件のうち少なくとも１つが成立しないときは、スケルチスイッチ４５はオフ状態となって音声信号が出力されない。
【００３６】
音声処理回路５０は、ジャック９０に接続されているプラグの種別に応じて音声信号を増幅する。具体的には、一般者用イヤフォン１０の接続プラグ１３がジャック９０に接続されているとき、全音域にわたって略一定の増幅率で音声信号を増幅する。以降の説明では、この処理を通常処理と言う。
【００３７】
一方、難聴者用イヤフォン２０の接続プラグ２３がジャック９０に接続されているとき、低音域では通常処理と略同等の増幅率で音声信号を増幅し、高音域では通常処理よりも高い増幅率で音声信号を増幅する。この高音域は、高齢者が聞き取りにくくなる周波数帯域、例えば、４ｋＨｚ以上に設定されている。低音域は、４ｋＨｚ未満である。以降の説明では、この処理を高周波数増幅処理と言う。
【００３８】
ジャック９０は、一般者用イヤフォン１０の接続プラグ１３と難聴者用イヤフォン２０の接続プラグ２３の両プラグに接続可能である。すなわち、装置本体２に設けられているジャック９０は１つであり、一般者用イヤフォン１０および難聴者用イヤフォン２０に対して共通に用いられる。
【００３９】
プラグ判定回路７０は、ジャック９０に差し込まれているプラグが一般者用イヤフォン１０の接続プラグ１３であるか、難聴者用イヤフォン２０の接続プラグ２３であるか、を判定する。
【００４０】
プラグ判定回路７０は、ジャック９０に差し込まれているプラグが難聴者用イヤフォン２０の接続プラグ２３である旨判定したとき、出力ポートの出力電圧をハイレベルに設定する。
【００４１】
プラグ判定回路７０は、ジャック９０に差し込まれているプラグが一般者用イヤフォン１０の接続プラグ１３である旨判定したとき、出力ポートの出力電圧をローレベルに設定する。
【００４２】
制御装置８０は、プラグ判定回路７０の出力電圧に基づいて音声処理回路５０に指令を出す。
【００４３】
具体的には、プラグ判定回路７０の出力ポートの出力電圧がハイレベルのとき、すなわちジャック９０に難聴者用イヤフォン２０の接続プラグ２３が差し込まれているとき、制御装置８０は、音声処理回路５０に対して高周波数増幅処理を実行する旨の制御信号を出す。
【００４４】
一方、プラグ判定回路７０の出力ポートの出力電圧がローレベルのとき、すなわちジャック９０に一般者用イヤフォン１０の接続プラグ１３が差し込まれているとき、制御装置８０は音声処理回路５０に対して通常処理を実行する制御信号を出す。
【００４５】
図３および図４を参照して、一般者用イヤフォン１０の接続プラグ１３、難聴者用イヤフォン２０の接続プラグ２３、およびジャック９０の各構造について説明する。なお、各接続プラグ１３，２３としては、フォーン端子等の規格に準拠したプラグを用いることができる。
【００４６】
図３に示すように、一般者用イヤフォン１０の接続プラグ１３（第１接続プラグ）は、第１共通端子１３Ａと第１入力端子１３Ｂとを備えている。
【００４７】
第１入力端子１３Ｂは接続プラグ１３の先端部に設けられている。第１入力端子１３Ｂはスピーカ１２の一端子に接続されている。第１共通端子１３Ａは接続プラグ１３の基部に設けられている。第１共通端子１３Ａはスピーカ１２の他端子に接続されている。
【００４８】
図４に示すように、難聴者用イヤフォン２０の接続プラグ２３（第２接続プラグ）は、第２共通端子２３Ａと第２入力端子２３Ｂとダミー端子２３Ｃとを備えている。
【００４９】
第２入力端子２３Ｂは接続プラグ２３の先端部に設けられている。第２入力端子２３Ｂはスピーカ２２の一端子に接続されている。第２共通端子２３Ａは接続プラグ２３の基部側に設けられている。第２共通端子２３Ａはスピーカ２２の他端子に接続されている。
【００５０】
ダミー端子２３Ｃは第２入力端子２３Ｂと第２共通端子２３Ａとの間に設けられている。ダミー端子２３Ｃは第２入力端子２３Ｂ、第２共通端子２３Ａおよびスピーカ２２から実質的に絶縁されている。
【００５１】
ジャック９０は、共通電極９１と入力電極９２とダミー電極９３とを備えている。
【００５２】
共通電極９１は、一般者用イヤフォン１０の接続プラグ１３がジャック９０に差し込まれたとき第１共通端子１３Ａに接触し（図３参照）、難聴者用イヤフォン２０の接続プラグ２３がジャック９０に差し込まれたとき第２共通端子２３Ａに接触する（図４参照）。また、共通電極９１はグランドに接続されている。
【００５３】
入力電極９２は、一般者用イヤフォン１０の接続プラグ１３がジャック９０に差し込まれたとき第１入力端子１３Ｂに接触し（図３参照）、難聴者用イヤフォン２０の接続プラグ２３がジャック９０に差し込まれたとき第２入力端子２３Ｂに接触する（図４参照）。また、入力電極９２は増幅器６０に接続されている。すなわち、入力電極９２を通じて音声信号がイヤフォンに入力される。
【００５４】
ダミー電極９３は、一般者用イヤフォン１０の接続プラグ１３がジャック９０に差し込まれたとき第１共通端子１３Ａに接触し（図３参照）、難聴者用イヤフォン２０の接続プラグ２３がジャック９０に差し込まれたときダミー端子２３Ｃに接触する（図４参照）。また、ダミー電極９３はプラグ判定回路７０に接続されている。
【００５５】
図３および図４を参照して、プラグ判定回路７０および音声処理回路５０の一例を説明する。
【００５６】
プラグ判定回路７０はコンパレータ７１を備えている。
【００５７】
コンパレータ７１にはダミー電極９３が接続されている。ダミー電極９３は、抵抗７２を介して基準電位Ｖｃｃの配線に接続されている。
【００５８】
コンパレータ７１は、ダミー電極９３の電位（以下、ダミー電位Ｖｄ）と予め設定された比較電位Ｖｒｅｆとを比較し、ダミー電位Ｖｄが比較電位Ｖｒｅｆよりも高いときは、出力ポートの出力電圧をハイレベルに設定する。一方、ダミー電位Ｖｄが比較電位Ｖｒｅｆ以下のときは、出力ポートの出力電圧をローレベルに設定する。なお、比較電位Ｖｒｅｆは、グランド電位よりも大きく、かつ制御装置８０の基準電位Ｖｃｃよりも小さい。
【００５９】
コンパレータ７１の出力ポートは制御装置８０に接続されている。制御装置８０は、上記したように、プラグ判定回路７０の出力ポートの出力電圧に基づいて、音声処理回路５０に対し高周波数増幅処理または通常処理を実行する旨の制御信号を出す。
【００６０】
音声処理回路５０は、オペアンプ５４と、３つの抵抗５１，５２，５３と、コンデンサ５５と、スイッチ素子５６とを備えている。なお、以降の説明において、抵抗５１の抵抗値をＲ１、抵抗５２の抵抗値をＲ２、抵抗５３の抵抗値をＲ３とし、抵抗５２と抵抗５３の並列接続の合成抵抗をＲ２３とする。
【００６１】
オペアンプ５４の出力端子は増幅器６０に接続されている。オペアンプ５４のプラス入力端子には音声信号が入力される。オペアンプ５４の出力端子とマイナス入力端子との間には抵抗５１が接続されている。オペアンプ５４のマイナス入力端子とグランドとの間には抵抗５２が接続されている。オペアンプ５４のマイナス入力端子には、抵抗５２に並列的に、コンデンサ５５および抵抗５３が直列して接続されている。コンデンサ５５と抵抗５３との間にはスイッチ素子５６が設けられている。
【００６２】
スイッチ素子５６は、コンデンサ５５および抵抗５３間の接続状態を切り換える。
【００６３】
スイッチ素子５６は、制御装置８０から通常処理する旨の制御信号を受信したとき、コンデンサ５５と抵抗５３との間を切断する。このとき、音声処理回路５０のゲインは、全周波数において設定ゲインＧ１となる。設定ゲインＧ１の値は略（１＋Ｒ１／Ｒ２）である。
【００６４】
スイッチ素子５６は、制御装置８０から高周波数増幅処理する旨の制御信号を受信したとき、コンデンサ５５と抵抗５３とを互いに接続する。このとき、コンデンサ５５が抵抗５３を介してグランドに接続される。
【００６５】
高周波数域の音声信号はコンデンサの影響を殆ど受けないため、高周波数域においては音声処理回路５０のゲインは設定ゲインＧ２となる。設定ゲインＧ２は設定ゲインＧ１よりも大きく、略（１＋Ｒ１／Ｒ２３）である。
【００６６】
一方、低周波数域の音声信号はコンデンサ５５の影響を受けるため、低周波数域においては音声処理回路５０のゲインは設定ゲインＧ２よりも小さくなる。なお、低周波数域のゲインは、通常処理時の設定ゲインＧ１よりも大きくなるように各抵抗５１，５２，５３およびコンデンサ５５が設定されている。
【００６７】
すなわち、音声処理回路５０は、通常処理のとき、音声信号を設定ゲインＧ１で増幅する。これに対して、高周波数増幅処理のときは、高周波数域において音声信号を設定ゲインＧ２（＞設定ゲインＧ１）で増幅する。
【００６８】
次に、携帯型音声再生装置１の動作を説明する。
【００６９】
まず、図３を参照して、一般者用イヤフォン１０の接続プラグ１３がジャック９０に差し込まれたときの動作を説明する。
【００７０】
このとき、ジャック９０の共通電極９１とダミー電極９３とが第１共通端子１３Ａを介して接続される。ダミー電極９３の電位は、グランド電位と等電位、すなわち比較電位Ｖｒｅｆよりも小さくなる。このため、プラグ判定回路７０のコンパレータ７１の出力ポートの出力電圧はローレベルになる。
【００７１】
出力ポートの出力電圧がローレベルになったことに基づいて制御装置８０は音声処理回路５０に対して通常処理を実行する旨の制御信号を出す。この制御信号を受けて、音声処理回路５０は、コンデンサ５５と抵抗５３との間を切断状態とする。このような回路状態のとき、音声信号は全周波数において設定ゲインＧ１で増幅される。すなわち、音声信号に対して通常処理が実行される。
【００７２】
次に、図４を参照して、難聴者用イヤフォン２０の接続プラグ２３がジャック９０に差し込まれたときの動作を説明する。
【００７３】
このときは、ジャック９０の共通電極９１とダミー電極９３とは互いに接触しない。ダミー電極９３の電位は、基準電位Ｖｃｃと等電位、すなわち比較電位Ｖｒｅｆよりも大きくなる。このため、プラグ判定回路７０のコンパレータ７１の出力ポートの出力電圧はハイレベルになる。
【００７４】
出力ポートの出力電圧がハイレベルになったことに基づいて制御装置８０は音声処理回路５０に対して高周波数増幅処理を実行する旨の制御信号を出す。この制御信号を受けて、音声処理回路５０は、コンデンサ５５と抵抗５３との間を接続状態とする。このような回路状態のとき、高周波数域において音声信号は設定ゲインＧ２（＞設定ゲインＧ１）で増幅される。すなわち、音声信号に対して高周波数増幅処理が実行される。
【００７５】
このような構成の携帯型音声再生装置１は、次のように動作する。
【００７６】
一般者用イヤフォン１０の接続プラグ１３がジャック９０に差し込まれるとき、音声信号は通常処理される。難聴者用イヤフォン２０の接続プラグ２３がジャック９０に差し込まれるとき、音声信号は高周波数増幅処理される。このため、装置本体２のジャック９０に差し込むイヤフォンを選択することにより音声信号の音声増幅態様が切り換えられる。
【００７７】
このような携帯型音声再生装置１は次のようにして使われる。
【００７８】
例えば団体旅行で、音声によるガイドが行なわれるとき、案内人は、各旅行者に携帯型音声再生装置１を渡す。このとき、高齢者等の難聴者または希望者には、装置本体２と難聴者用イヤフォン２０を渡す。一般人には、装置本体２と一般者用イヤフォン１０を渡す。各旅行者は、貸与された装置本体２とイヤフォン１０又は２０とを接続する。このような操作により、装置本体２の設定を変更することなく、各旅行者の聴力にあった音声増幅態様で音声ガイドを聴くことができる。
【００７９】
また、一般者用イヤフォン１０および難聴者用イヤフォン２０には、一般者用と難聴者用とを区別する視認タグ１４，２４が付けられている。このため、案内人は、各旅行者がどのような音声増幅態様で音声ガイドを聴いているか容易に把握することができる。案内人は、高齢者がいずれのイヤフォンを使用しているかについて容易に判断することができる。
【００８０】
（第２実施形態）
図５および図６を参照して、第１実施形態の変形例について説明する。
【００８１】
第１実施形態では、モノラル信号を再生する携帯型音声再生装置１について説明した。以下に示す変形例では、ステレオ信号を再生する携帯型音声再生装置１について説明する。以下、この変更にともない生じる第１実施形態の構成からの変更について説明する。なお、第１実施形態と共通する構成については同一の符合を付す。
【００８２】
図５に示すように、一般者用イヤフォン１１０の接続プラグ１１３（第１接続プラグ）は、第１共通端子１１３Ａと第１Ｌ端子１１３Ｂと第１Ｒ端子１１３Ｃとを備えている。
【００８３】
第１Ｌ端子１１３Ｂは接続プラグ１１３の先端部に設けられている。第１共通端子１１３Ａは接続プラグ１１３の基部側に設けられている。第１Ｒ端子１１３Ｃは第１Ｌ端子１１３Ｂと第１共通端子１１３Ａとの間に設けられている。
【００８４】
第１Ｌ端子１１３Ｂは第１スピーカ１１２Ａの一端子に接続されている。一方、第１Ｒ端子１１３Ｃは第２スピーカ１１２Ｂの一端子に接続されている。第１共通端子１１３Ａは、第１スピーカ１１２Ａの他端子および第２スピーカ１１２Ｂの他端子に接続されている。
【００８５】
図６に示すように、難聴者用イヤフォン１２０の接続プラグ１２３（第２接続プラグ）は、第２共通端子１２３Ａと第２Ｌ端子１２３Ｂと第２Ｒ端子１２３Ｃとダミー端子１２３Ｄとを備えている。
【００８６】
第２Ｌ端子１２３Ｂは接続プラグ１２３の先端部に設けられている。第２Ｒ端子１２３Ｃは第２Ｌ端子１２３Ｂの隣に配置されている。ダミー端子１２３Ｄは第２Ｒ端子１２３Ｃの隣に配置されている。第２共通端子１２３Ａは接続プラグ１２３の基部に設けられている。
【００８７】
第２Ｌ端子１２３Ｂは第１スピーカ１２２Ａの一端子に接続されている。一方、第２Ｒ端子１２３Ｃは第２スピーカ１２２Ｂの一端子に接続されている。第２共通端子１２３Ａは第１スピーカ１２２Ａの他端子および第２スピーカ１２２Ｂの他端子に接続されている。ダミー端子１２３Ｄは第２Ｌ端子１２３Ｂ、第２Ｒ端子１２３Ｃ、第１スピーカ１２２Ａおよび第２スピーカ１２２Ｂから実質的に絶縁されている。
【００８８】
ジャック１９０は、共通電極１９１とＬ電極１９２とＲ電極１９３とダミー電極１９４とを備えている。
【００８９】
共通電極１９１は、一般者用イヤフォン１１０の接続プラグ１１３がジャック１９０に差し込まれたとき第１共通端子１１３Ａに接触し（図５参照）、難聴者用イヤフォン１２０の接続プラグ１２３がジャック１９０に差し込まれたとき第２共通端子１２３Ａに接触する（図６参照）。また、共通電極１９１はグランドに接続されている。
【００９０】
Ｌ電極１９２は、一般者用イヤフォン１１０の接続プラグ１１３がジャック１９０に差し込まれたとき第１Ｌ端子１１３Ｂに接触し（図５参照）、難聴者用イヤフォン１２０の接続プラグ１２３がジャック１９０に差し込まれたとき第２Ｌ端子１２３Ｂに接触する（図６参照）。また、Ｌ電極１９２は第１増幅器１４１に接続されている。すなわち、Ｌ電極１９２を通じてＬ信号がイヤフォンに入力される。
【００９１】
Ｒ電極１９３は、一般者用イヤフォン１１０の接続プラグ１１３がジャック１９０に差し込まれたとき第１Ｒ端子１１３Ｃに接触し（図５参照）、難聴者用イヤフォン１２０の接続プラグ１２３がジャック１９０に差し込まれたとき第２Ｒ端子１２３Ｃに接触する（図６参照）。また、Ｒ電極１９３は第２増幅器１４２に接続されている。すなわち、Ｒ電極１９３を通じてＲ信号がイヤフォンに入力される。
【００９２】
ダミー電極１９４は、一般者用イヤフォン１１０の接続プラグ１１３がジャック１９０に差し込まれたとき第１共通端子１１３Ａに接触し（図５参照）、難聴者用イヤフォン１２０の接続プラグ１２３がジャック１９０に差し込まれたときダミー端子１２３Ｄに接触する（図６参照）。また、ダミー電極１９４はプラグ判定回路７０に接続されている。
【００９３】
装置本体２は、受信信号から所定周波数信号を検波し、検波した信号からＬ信号およびＲ信号を形成する。
【００９４】
また、装置本体２は、プラグ判定回路７０および制御装置８０を有する。プラグ判定回路７０および制御装置８０は、第１実施形態のプラグ判定回路７０および制御装置８０と同様の構成を有する。すなわち、プラグ判定回路７０は、ダミー端子１２３Ｄの電位が比較電位よりも大きいか否かの結果に基づいて、出力ポートの出力電圧をハイレベルまたはローレベルに設定する。
【００９５】
制御装置８０は、プラグ判定回路７０の出力電圧に基づいて第１音声処理回路１５１および第２音声処理回路１５２に対して高周波数増幅処理または通常処理のいずれかを実行する制御信号を出す。なお、第１音声処理回路１５１および第２音声処理回路１５２には同じ制御信号が出される。
【００９６】
Ｌ信号は、第１音声処理回路１５１により増幅され、続いて第１増幅器１４１により増幅される。
【００９７】
Ｒ信号は、第２音声処理回路１５２により増幅され、続いて第２増幅器１４２により増幅される。
【００９８】
第１音声処理回路１５１および第２音声処理回路１５２は、上記音声処理回路５０と同様の回路構成を有する。すなわち、制御装置８０からの制御信号に対応した音声再生形態でＬ信号またはＲ信号を増幅する。
【００９９】
次に、携帯型音声再生装置１の動作を説明する。
【０１００】
まず、図５を参照して、一般者用イヤフォン１１０の接続プラグ１１３がジャック１９０に差し込まれたときの動作を説明する。
【０１０１】
このときは、ジャック１９０の共通電極１９１とダミー電極１９４とが第１共通端子１１３Ａを介して互いに接続される。
【０１０２】
ダミー電極１９４の電位は、グランド電位と等電位、すなわち比較電位Ｖｒｅｆよりも小さくなる。このため、プラグ判定回路７０の出力ポートの出力電圧はローレベルになる。出力ポートの出力電圧がローレベルになったことに基づいて制御装置８０は第１音声処理回路１５１および第２音声処理回路１５２に対して通常処理を実行する旨の制御信号を出す。この制御信号により、Ｌ信号およびＲ信号は全周波数において設定ゲインＧ１で増幅される。すなわち、Ｌ信号およびＲ信号に対して通常処理が実行される。
【０１０３】
次に、図６を参照して、難聴者用イヤフォン１２０の接続プラグ１２３がジャック１９０に差し込まれたときの動作を説明する。
【０１０４】
このときは、ジャック１９０の共通電極１９１とダミー電極１９４とは互いに接触しない。ダミー電極１９４の電位は、基準電位Ｖｃｃと等電位、すなわち比較電位Ｖｒｅｆよりも大きくなる。このため、プラグ判定回路７０の出力ポートの出力電圧はハイレベルになる。出力ポートの出力電圧がハイレベルになったことに基づいて制御装置８０は第１音声処理回路１５１および第２音声処理回路１５２に対して高周波数増幅処理を実行する旨の制御信号を出す。この制御信号により、高周波数域においてＬ信号およびＲ信号は設定ゲインＧ２（＞設定ゲインＧ１）で増幅される。すなわち、Ｌ信号およびＲ信号に対し高周波数増幅処理が実行される。
【０１０５】
以上の構成によっても第１実施形態と同様の作用を奏する。
【０１０６】
すなわち、装置本体２のジャック１９０に差し込むイヤフォンを選択することにより、音声信号の音声増幅態様が切り換えられる。
【０１０７】
（第３実施形態）
図７および図８を参照して、第１実施形態のイヤフォンの変形例を説明する。
【０１０８】
第１実施形態では、難聴者用イヤフォン２０と一般者用イヤフォン１０とが個別に用意された。以下に示す変形例では、難聴者用イヤフォン２０と、この難聴者用イヤフォン２０に接続されるアダプタ２００とが用意される。そして、アダプタ２００により、難聴者用イヤフォン２０を一般者用イヤフォン１０としての使用を可能にする。以下、この変更にともない生じる第１実施形態の構成からの変更について説明する。なお、第１実施形態と共通する構成については同一の符合を付す。
【０１０９】
図７を参照して、アダプタ２００を説明する。
【０１１０】
アダプタ２００は、ジャック９０に差し込まれるプラグ部２１０と、難聴者用イヤフォン２０の接続プラグ２３が挿入される接続部２２０とを備えている。
【０１１１】
プラグ部２１０は、第３共通端子２１０Ａと第３入力端子２１０Ｂとを備えている。
【０１１２】
第３共通端子２１０Ａはプラグ部２１０の基部に設けられている。第３入力端子２１０Ｂはプラグ部２１０の先端部に設けられている。
【０１１３】
プラグ部２１０の外形構造は、第１実施形態の一般者用イヤフォン１０の接続プラグ１３と同様である。すなわち、第３共通端子２１０Ａおよび第３入力端子２１０Ｂの外形寸法は、第１共通端子１３Ａおよび第１入力端子１３Ｂの外形寸法と同じである。
【０１１４】
プラグ部２１０の内部構造は次のように構成されている。
【０１１５】
すなわち、第３入力端子２１０Ｂには、プラグ部２１０の中心軸に沿う導体２１１が設けられている。第３共通端子２１０Ａの内部は中空であり、この中空部分に導体２１１が挿通されている。導体２１１と第３共通端子２１０Ａとの間は絶縁されている。導体２１１の先端部は、アダプタ２００に挿入される接続プラグ２３の第２入力端子２３Ｂの先端と接触する。
【０１１６】
接続部２２０は、第３共通端子２１０Ａの延長部分である。接続部２２０は円筒に形成されている。接続部２２０の内周には、アダプタ２００に挿入される接続プラグ２３の第２共通端子２３Ａおよびダミー端子２３Ｃと接触する内部電極２２１が形成されている。
【０１１７】
図８を参照して、アダプタ２００に難聴者用イヤフォン２０の接続プラグ２３が挿入された状態について説明する。
【０１１８】
このとき、第３入力端子２１０Ｂの導体２１１は、難聴者用イヤフォン２０の接続プラグ２３の第２入力端子２３Ｂに接触する。このため、第３入力端子２１０Ｂは、スピーカ２２の一端子に接続される。
【０１１９】
第３共通端子２１０Ａの内部電極２２１は、難聴者用イヤフォン２０の接続プラグ２３のダミー端子２３Ｃおよび第２共通端子２３Ａに接触する。このため、第３共通端子２１０Ａは、スピーカ２２の他端子に接続される。
【０１２０】
すなわち、アダプタ２００が付けられた難聴者用イヤフォン２０は、一般者用イヤフォン１０を構成する。
【０１２１】
このような構成によれば、難聴者用イヤフォン２０とアダプタ２００とを用意することにより、難聴者用イヤフォン２０及び一般者用イヤフォン１０を用意することと実質的に同じになる。したがって、難聴者用イヤフォン２０とアダプタ２００によっても、第１実施形態と同様の作用がある。
【０１２２】
各実施形態によれば以下の効果が得られる。
【０１２３】
（１）各実施形態の携帯型音声再生装置１では、一般者用イヤフォン１０の接続プラグ１３，１１３にダミー端子２３Ｃ，１２３Ｄを設けず、難聴者用イヤフォン２０の接続プラグ２３，１２３にダミー端子２３Ｃ，１２３Ｄが設けられる。そして、ダミー端子２３Ｃ，１２３Ｄの有無の検出により、ジャック９０に差し込まれているプラグの種別が判定され、プラグの種類に対応させて音声信号の音声増幅態様が切り換えられる。
【０１２４】
この構成によれば、一般者および難聴者が一般者用イヤフォン１０と難聴者用イヤフォン２０とを選択することにより、音声信号の音声増幅態様を切り換えることができる。すなわち、使用者は、装置本体２において設定変更等の操作を行うことなく、イヤフォンを携帯型音声再生装置１に接続することにより、選択したイヤフォンに対応した音声増幅態様で音声信号を再生することができる。
【０１２５】
（２）本実施形態では、ダミー端子２３Ｃ，１２３Ｄが検出されているとき、ダミー端子２３Ｃ，１２３Ｄが検出されていないときよりも、高周波数域の音声信号の増幅率が大きく設定される。すなわち、難聴者用イヤフォン２０がジャック９０に接続されているとき、高周波数域で音声信号の増幅率が大きく設定される。
【０１２６】
この構成によれば、難聴者用イヤフォン２０を選択した者は、難聴者用イヤフォン２０をジャック９０に差し込むことにより、高音域の音圧レベルを大きくした音声を聴くことができる。
【０１２７】
（３）本実施形態では、一般者用イヤフォン１０および難聴者用イヤフォン２０には視認タグ１４，２４が設けられている。すなわち、一般者用イヤフォン１０と難聴者用イヤフォン２０とは外観が互いに異なっている。このため、携帯型音声再生装置１の管理者は、使用者が一般者用イヤフォン１０および難聴者用イヤフォン２０のうちいずれのイヤフォンを用いているかを容易に判断することができる。また、携帯型音声再生装置１の管理者は、携帯型音声再生装置１の使用者に対しこの使用者に合ったイヤフォンを使用しているか否かについて適切にアドバイスすることができる。
【０１２８】
（その他の実施形態）
本発明の実施態様は上記各実施形態に例示した態様に限られるものではなく、例えば以下のように変更することもできる。また以下の各変形例は、上記各実施形態についてのみ適用されるものではなく、異なる変形例同士を互いに組み合わせて実施してもよい。
【０１２９】
・上記第１実施形態では、一般者用イヤフォン１０と難聴者用イヤフォン２０との両方に視認タグ１４，２４を付けているが、いずれか一方にのみ視認タグ１４，２４を付けてもよい。この構成によっても、使用者が一般者用イヤフォン１０と難聴者用イヤフォン２０のいずれを用いているかについて外部から容易に把握することができる。
【０１３０】
・また、視認タグ１４，２４に代えて、一般者用イヤフォン１０と難聴者用イヤフォン２０とを外観で区別することができるシールが貼り付けられてもよい。また、各イヤフォンの導線の色または模様を互いに異ならせてもよい。いずれの構成でも、一般者用イヤフォン１０と難聴者用イヤフォン２０とを外観で区別可能であるため、上記（３）に準じた効果を奏する。
【０１３１】
・上記各実施形態では、難聴者用イヤフォン２０がジャック９０に差し込まれているとき、音声信号の高周波数域において音圧レベルを大きくするが、音声信号の音声増幅態様はこれに限定されない。すなわち、難聴者用イヤフォン２０がジャック９０に差し込まれているときの音声増幅処理は、難聴者が聞き取りやすい音に変換する処理であればよい。
【０１３２】
例えば、難聴者用イヤフォン２０がジャック９０に差し込まれているとき、音声信号のダイナミックレンジの圧縮処理が行われてもよい。具体的には、音声信号において、音圧レベルが第１設定値よりも大きい音声成分を小さくする変換処理が行われるとともに、音圧レベルが第２設定値よりも小さい音声成分を大きくする変換処理が行われる。これにより、音圧レベルが高すぎて耳障りな音が小さくなるとともに音圧レベルが小さく聞こえにくい音が大きくなる。このようなダイナミックレンジの圧縮処理によれば、音声信号を難聴者にとって聞きやすい音に変換される。
【０１３３】
したがって、この構成によれば、難聴者用イヤフォン２０をジャック９０に差し込むことにより、音圧レベルの幅（音圧レベルの最大値と最小値との差。）が狭くなった音声を聴くことができる。
【０１３４】
・上記各実施形態では、２端子のプラグ構造のイヤフォンが一般者用イヤフォン１０として使用され、３端子のプラグ構造のイヤフォンが難聴者用イヤフォン２０として使用されているが、端子のプラグ構造は逆であってもよい。すなわち、２端子のプラグ構造のイヤフォンが難聴者用イヤフォン２０として使用され、３端子のプラグ構造のイヤフォンが一般者用イヤフォン１０として使用されてもよい。なお、この場合は、ダミー端子２３Ｃが検出されないとき、音声信号に対して高周波数増幅処理またはダイナミックレンジの圧縮処理等の音声増幅処理が行われる。
【０１３５】
・上記各実施形態では、携帯型音声再生装置１の例として、送信機から送信された信号を受信する受信機が挙げられているが、本発明は、この用途に限定されない。すなわち、イヤフォンにより音声信号を再生する音声再生装置であれば、本発明を適用することができる。例えば、携帯型のオーディオ装置、携帯電話、携帯型コンピュータにも本発明が適用することができる。
【図１】
2013098974.tif 000003
【図２】
2013098974.tif 000004
【図３】
2013098974.tif 000005
【図４】
2013098974.tif 000006
【図５】
2013098974.tif 000007
【図６】
2013098974.tif 000008
【図７】
2013098974.tif 000009
【図８】
2013098974.tif 000010
【国際調査報告】
2013098974.tif 000011
2013098974.tif 000012
2013098974.tif 000013
2013098974.tif 000014